(57)【要約】【課題】最上段以外のモジュールのアダプタへのコネクタ接続作業を容易に行うことができ、しかも筺体内部にモジュールの回転スペースを確保する必要もないアダプタ収納モジュールを提供する。【解決手段】第１の発明のアダプタ収納モジュールは、光ファイバ心線の接続部材または分岐部材を収納する接続箇所収納部１１と、アダプタ５を収納するアダプタ収納部３と、光ファイバ心線の余長収納部１２とを備えたものである。モジュール本体１の一側にアダプタ収納部３を設けるとともに、モジュール本体１の側壁に、アダプタ収納部３が階段状になるようにモジュール本体１をずらして段積みするための段積係合部２０を設けた。また、同様の課題を解決する第２の発明ではモジュール本体を互いに反対向きに段積みするための段積係合部２０を設けた。【選択図】図２
2010266726.tif 000002
【特許請求の範囲】
【請求項１】
光ファイバ心線の接続部材または分岐部材を収納する接続箇所収納部と、アダプタを収納するアダプタ収納部と、光ファイバ心線の余長収納部とを備えたアダプタ収納モジュールにおいて、モジュール本体の一側にアダプタ収納部を設けるとともに、モジュール本体に、アダプタ収納部が階段状になるようにモジュール本体をずらして段積みする段積係合部を設けたことを特徴とするアダプタ収納モジュール。
【請求項２】
段積係合部が、アダプタ収納部が垂直方向に重なるようにモジュール本体を段積みすることもできるものであることを特徴とする請求項１記載のアダプタ収納モジュール。
【請求項３】
段積係合部がモジュール本体の側壁の上下に設けられた、２個の突起と３個の突起とからなり、２個の突起に対する３個の突起の係合位置を変えることにより、階段状段積みと垂直状段積みとを選択可能としたことを特徴とする請求項２記載のアダプタ収納モジュール。
【請求項４】
モジュール本体の側壁の下端部にヒンジ部を設けるとともに、側壁の上端部には前記ヒンジ部の上方に垂直段積み用のヒンジ部と、該垂直段積み用ヒンジ部に隣接してアダプタ収納部とは反対側に階段積み用ヒンジ部を設けたことを特徴とする請求項２記載のアダプタ収納モジュール。
【請求項５】
段積係合部を、モジュール本体の左右側壁にそれぞれ設けたことを特徴とする請求項２記載のアダプタ収納モジュール。
【請求項６】
光ファイバ心線の接続部材または分岐部材を収納する接続箇所収納部と、アダプタを収納するアダプタ収納部と、光ファイバ心線の余長収納部とを備えたアダプタ収納モジュールにおいて、モジュール本体の一側にアダプタ収納部を設けるとともに、モジュール本体に、アダプタ収納部が互いに反対向きになるようにモジュール本体を段積みする段積係合部を設けたことを特徴とするアダプタ収納モジュール。
【発明の詳細な説明】
【技術分野】
【０００１】
本発明は、光ファイバを接続する光接続箱の内部に設置されるアダプタ収納モジュールに関するものである。
【背景技術】
【０００２】
光接続箱は、光ファイバの接続や分岐を行うためのボックスであり、その内部には例えば特許文献１に示されるような、モジュールやトレーと呼ばれる扁平な収納ケースが多段に積層されている。モジュールの内部には光ファイバ心線の接続部材であるスリーブや、光ファイバ心線の分岐部材であるスプリッターを収納する接続箇所収納部があり、またこれらのスリーブやスプリッターに接続された光ファイバ心線の余長を収納する余長収納部が設けられている。さらに、光コードを接続するためのコネクタ、アダプタを各モジュール内に収納した構造も知られている。
【０００３】
しかし、アダプタを各モジュール内に収納したアダプタ収納モジュールを段積みすると、最上段以外のモジュールのアダプタにコネクタを接続する際には、それよりも上段のモジュールを取り外したうえで収納ケースを開かねばならず、作業性が悪いという問題があった。
【０００４】
またこの問題を回避するために、各モジュールを水平方向に回転可能としておき、目的とするモジュールのみを回転させて引き出し可能とした構造も知られている。しかしこの場合には光接続箱の筺体内部にモジュールの回転スペースを確保する必要があり、筺体サイズが大きくなってしまうという問題があった。
【先行技術文献】
【特許文献】
【０００５】
【特許文献１】特開２００４−２０７０７号公報
【発明の概要】
【発明が解決しようとする課題】
【０００６】
従って本発明の目的は上記した従来の問題点を解決し、最上段以外のモジュールのアダプタへのコネクタ接続作業を容易に行うことができ、しかも筺体内部にモジュールの回転スペースを確保する必要もないアダプタ収納モジュールを提供することである。
【課題を解決するための手段】
【０００７】
上記の課題を解決するためになされた第１の発明は、請求項１のように光ファイバ心線の接続部材または分岐部材を収納する接続箇所収納部と、アダプタを収納するアダプタ収納部と、光ファイバ心線の余長収納部とを備えたアダプタ収納モジュールにおいて、モジュール本体の一側にアダプタ収納部を設けるとともに、モジュール本体に、アダプタ収納部が階段状になるようにモジュール本体をずらして段積みする段積係合部を設けたことを特徴とするものである。
【０００８】
なお請求項２のように、段積係合部が、アダプタ収納部が垂直方向に重なるようにモジュール本体を段積みすることもできるものであることが好ましい。またその場合には請求項３のように、段積係合部がモジュール本体の側壁の上下に設けられた、２個の突起と３個の突起とからなり、２個の突起に対する３個の突起の係合位置を変えることにより、階段状段積みと垂直状段積みとを選択可能とすることができる。また、請求項４のようにモジュール本体の側壁の下端部にヒンジ部を設けるとともに、側壁の上端部には前記ヒンジ部の上方に垂直段積み用のヒンジ部と、該垂直段積み用ヒンジ部に隣接してアダプタ収納部とは反対側に階段積み用ヒンジ部を設けたものが好ましく、請求項５のように段積係合部を、モジュール本体の左右側壁にそれぞれ設けたものではモジュール本体を左右どちらからでも開くことができる。また第２の発明の請求項６のように、光ファイバ心線の接続部材または分岐部材を収納する接続箇所収納部と、アダプタを収納するアダプタ収納部と、光ファイバ心線の余長収納部とを備えたアダプタ収納モジュールにおいて、モジュール本体の一側にアダプタ収納部を設けるとともに、モジュール本体に、アダプタ収納部が互いに反対向きになるようにモジュール本体を段積みする段積係合部を設けたことを特徴とするものである。
【発明の効果】
【０００９】
第１の発明の請求項１のアダプタ収納モジュールは、モジュール本体の一側にアダプタ収納部を設けるとともに、モジュール本体にアダプタ収納部が階段状になるようにモジュール本体をずらして段積みする段積係合部を設けたものであるから、最上段以外のモジュールのアダプタ収納部に収納されたアダプタも、上方から視認することができる。このために最上段以外のモジュールのアダプタへのコネクタ接続作業を容易に行うことができ、しかも筺体内部にモジュールの回転スペースを確保する必要もない。
【００１０】
請求項２のように、段積係合部をアダプタ収納部が垂直方向に重なるようにモジュール本体を段積みすることもできるものとしておけば、必要に応じてモジュールの階段状取付けと垂直状取付けとを選択して段積みすることができる。また請求項３のように、３個の突起に対する２個の突起の係合位置を変えることにより、階段状段積みと垂直状段積みとを選択可能とすることができる構造としておけば、双方の取付け状態において突起を兼用することができ、段積係合部の構造を簡素化し、しかも階段状段積みと垂直状段積みとの何れの場合にも確実な係合を行わせることができる。また、請求項４のようにモジュール本体の側壁の下端部にヒンジ部を設けるとともに、側壁の上端部には前記ヒンジ部の上方に垂直段積み用のヒンジ部と、該垂直段積み用ヒンジ部に隣接してアダプタ収納部とは反対側に階段積み用ヒンジ部を設けたものとしておけば、必要に応じてモジュールの階段状取付けと垂直状取付けとを選択して段積みすることができる。また、請求項５のように段積係合部を、モジュール本体の左右側壁にそれぞれ設けたものではモジュール本体を左右どちらからでも開くことができる。
【００１１】
また、第２の発明の請求項６のアダプタ収納モジュールは、モジュール本体の一側にアダプタ収納部を設けるとともに、モジュール本体に、アダプタ収納部が互いに反対向きになるようにモジュール本体を段積みする段積係合部を設けたものであるから、最上段以外のモジュールのアダプタ収納部に収納されたアダプタも、上方から視認することができる。このために最上段以外のモジュールのアダプタへのコネクタ接続作業を容易に行うことができ、しかも筺体内部にモジュールの回転スペースを確保する必要もない。
【図面の簡単な説明】
【００１２】
【図１】第１の発明の実施形態を示す斜視図である。
【図２】分解斜視図である。
【図３】段積係合部の説明図である。
【図４】段積係合部の説明図である。
【図５】垂直状段積み状態を示す斜視図である。
【図６】垂直状段積み状態を示す側面図である。
【図７】階段状段積み状態を示す斜視図である。
【図８】階段状段積み状態を示す側面図である。
【図９】他の実施形態の垂直状段積み状態を示す斜視図である。
【図１０】他の実施形態の階段状段積み状態を示す斜視図である。
【図１１】第２の発明であるモジュール本体を互いに反対向きに段積みした状態を示す斜視図である。
【図１２】縦型ケースに収納した状態を示す斜視図である。
【図１３】鎖錠した状態を示す斜視図である。
【発明を実施するための形態】
【００１３】
以下に本発明の実施形態を説明する。
図１、図２に示されるように、本発明のアダプタ収納モジュールは浅箱状のモジュール本体１と、その上面を覆うカバー２とを備えている。モジュール本体１の一側には、アダプタ収納部３が設けられている。この実施形態ではアダプタ収納部３は一定ピッチの垂直壁４からなり、アダプタ５を落とし込むようにはめ込んで支持することができる。なお垂直壁４の中央部には縦溝６が形成されており、アダプタ５の突起７を嵌合させることによって、長手方向の力が加えられてもアダプタ５が動かない構造となっている。またアダプタ５の高さと垂直壁４の高さとを揃え、カバー２で押さえたときにアダプタ５が上下方向にがたつかないようにしてある。アダプタ５の両側にはコネクタ８、９が挿入されている。外側のコネクタ８には光コードが接続され、内側のコネクタ９には光ファイバ心線が接続される。
【００１４】
モジュール本体１の内部は、仕切りプレート１０によって上下に二分されている。仕切りプレート１０の上側スペースは接続箇所収納部１１となり、下側スペースは余長収納部１２となる。下側スペースである余長収納部１２は、内側のコネクタ１１に接続された光ファイバ心線の余長が収納される。しかし余長が短い場合には単に光ファイバ心線を通過させるだけでもよい。
【００１５】
仕切りプレート１０の上側スペースである接続箇所収納部１１には、光ファイバ心線の余長を巻き付けるための円盤状の突起１３及び多数の板状突起１４が形成されている。また仕切りプレート１０の奥側には下側スペースから上側スペースに光ファイバ心線を通すための貫通孔が適当数形成されており、光ファイバ心線の端部はこれらの貫通孔から上側スペースである接続箇所収納部１１に引き出されている。
【００１６】
仕切りプレート１０の両側端部には、光ファイバ心線の接続部材であるスリーブや、光ファイバ心線の分岐部材であるスプリッターを収納する接続箇所収納体１６が設けられている。下側の余長収納部１２から貫通孔を経由して上側に引き出された光ファイバ心線に対して、接続箇所収納部１６において接続部材または分岐部材を用いて接続や分岐などの作業がおこなわれ、１次配線はモジュール本体１の左右両側の光コード収納溝１７から外部に引き出される。
【００１７】
このように本発明のアダプタ収納モジュールは、接続箇所収納部１１と、アダプタを収納するアダプタ収納部３と、光ファイバ心線の余長収納部１２とを備えたものであり、その内部において光ファイバの接続や分岐を行うことは従来と同様である。しかし第１の発明のアダプタ収納モジュールには、アダプタ収納部３が階段状になるように段積みすることができるように、モジュール本体１に特殊な段積係合部２０が設けられている。以下にその詳細を説明する。
【００１８】
図１、図２に示されるように、モジュール本体１の側壁の上端部には２個の突起２１が外向きに突設され、またモジュール本体１の側壁の下端部には３個の突起２２が外向きに突設されている。これらはモジュール本体１の左右側壁の前後にそれぞれ設けられているが、全て同一構造である。
【００１９】
図３はこの段積係合部２０の拡大平面図であり、上端部の２個の突起２１、２１の間にはヒンジ軸２３が一体に形成されている。また下端部の３個の突起２２はいずれもこのヒンジ軸２３の上側からはめ込むことができるように下向きに湾曲させた形状となっている。このため、モジュール本体１を段積みして下側のモジュール本体１の上端部のヒンジ軸２３に上側のモジュール本体１の下端部の突起２２を嵌め込めば、段積係合部２０の突起２１とヒンジ軸２３がモジュール本体１の左右側壁の前後にそれぞれ設けられているので、モジュール本体１は左右何れの側にも開くことができ、上段のモジュールを取り外すことなく下段のモジュールの配線作業を行うことができる。
【００２０】
図３に示すように、３個の突起２２のうち中央の突起Ｙは幅が広くなっており、両端の突起Ｘ、Ｚの外側から中央の突起Ｙの外側までの寸法Ａは、２個の突起２１、２１の間のヒンジ軸２３の長さＢとほぼ等しくなっている。そして同一のモジュール本体１の側壁の上下の突起２１、２２は、図３のように配置されている。このため複数のモジュール本体１を図５、図６に示すように垂直方向に段積みすると、ヒンジ軸２３が中央の突起Ｙと後側の突起Ｚとの間に嵌り込む。このようにモジュール本体１を段積みすると、各モジュール本体１のアダプタ収納部３が垂直方向に重なる。
【００２１】
また図４に示すように、ヒンジ軸２３が中央の突起Ｙと前側の突起Ｘとの間に嵌り込むように、上側のモジュール本体１を後方にずらす（上側のモジュール本体１の下端部の３個の突起２２を、図３の状態よりも後方にずらす）と、図７、図８に示されるように各モジュール本体１は階段状に段積みされることとなる。この状態においては当然に各モジュール本体１のアダプタ収納部３も階段状になり、最上段以外のモジュールのアダプタ５も上方から視認することができる。このために最上段以外のモジュールのアダプタ５へのコネクタ接続作業を容易に行うことができる。
【００２２】
図９、図１０は他の実施形態を示す斜視図であり、図９は垂直状段積み状態を示し、図１０は階段状段積み状態を示している。この実施形態では段積係合部２０を垂直用段積み用と階段状段積み用に分離して設けたものである。具体的にはモジュール本体１の側壁の下端部には半円弧状のヒンジ管４１を設けるとともに、側壁の上端部には前記ヒンジ管４１の上方に垂直段積み用のヒンジ軸４２と、該垂直段積み用ヒンジ軸部に隣接してアダプタ収納部３とは反対側に階段積み用ヒンジ軸４２を設けてある。このようなものではヒンジ管４２を小型化できるので金型上有利である。
【００２３】
次に図１１を用いて第２の発明を示しており、上下の位置するアダプタ収納部３が反対側となるように、モジュール本体１を互いに反対向きに段積みしている。図９,１０に示した第１の発明のようにモジュール本体１に４ヶ所の段積係合部２０を備えた場合には、モジュール本体１の側壁に設けられた段積係合部２０のヒンジ管４１とヒンジ軸４２は左右で対称位置に設け、側壁の下端部の各ヒンジ管４１は、下段のモジュール本体１と上段のモジュール本体１とはアダプタ収納部３が反対側となるように段積みされた際に、左右側壁が入れ替わりアダプタ収納部側と反対側とが入れ替わり、垂直段積み用ヒンジ軸もしくは段積み用ヒンジ軸にはめ込むものである。このようなものでは、アダプタ収納部が各々反対側に位置するのでコネクタ接続作業を容易におこなうことができる。なお、上記のものではモジュール本体1を互いに反対向きに垂直状段積みとしたが、互いのアダプタ収納部が突出するようにクランク状段積みとしてもよい。また上記のヒンジ部であるヒンジ軸とヒンジ管は各々変えてもよい。
【００２４】
上記したように、第１の発明によればモジュールを階段状に段積みすることができ、また、第２の発明によればモジュールを互いに反対向きに段積みすることができるので、アダプタ５へのコネクタ接続作業を容易に行うことができ、しかも筺体内部にモジュールの回転スペースを確保する必要もない。このために小型のケースの内部にコンパクトに収納可能である。図１２は縦型ケース３０の内部に２枚のモジュールを収納した状態を示し、図１３は縦型ケース３０の表面を蓋体３１で覆い、錠３２で鎖錠した状態を示す。もちろんモジュールは水平に設置してもよいことはいうまでもない。
【符号の説明】
【００２５】
１  モジュール本体
２  カバー
３  アダプタ収納部
４  垂直壁
５  アダプタ
６  縦溝
７  突起
８  コネクタ
９  コネクタ
１０  仕切りプレート
１１  接続箇所収納部
１２  余長収納部
１３  円盤状の突起
１４  板状突起
１６  接続箇所収納体
１７  光コード収納溝
２０  段積係合部
２１  突起
２２  突起
２３  ヒンジ軸
３０  縦型ケース
３１  蓋体
３２  錠
【図１】
2010266726.tif 000003
【図２】
2010266726.tif 000004
【図３】
2010266726.tif 000005
【図４】
2010266726.tif 000006
【図５】
2010266726.tif 000007
【図６】
2010266726.tif 000008
【図７】
2010266726.tif 000009
【図８】
2010266726.tif 000010
【図９】
2010266726.tif 000011
【図１０】
2010266726.tif 000012
【図１１】
2010266726.tif 000013
【図１２】
2010266726.tif 000014
【図１３】
2010266726.tif 000015